(57)【要約】【課題】アプリケーションの変更を行うことなく、ユーザの利用シーンに応じて、表示部のバックライトエリア各部のＬＥＤの点灯状態を制御可能な携帯型情報機器を提供する。【解決手段】輝度制御回路１０は、表示部のバックライト用ＬＥＤが配置されるバックライトエリアを複数の分割領域１２ａ〜１２ｅに分割し、ユーザの操作により動作するアプリケーションが表示する情報の表示領域に応じて、分割領域１２ａ〜１２ｅごとに配置されたＬＥＤ１３ａ〜１３ｅの点灯状態を制御するＬＥＤ輝度制御信号１４ａ〜１４ｅを生成し、各ＬＥＤ１３ａ〜１３ｅに送信する。例えば、ＬＥＤ輝度制御信号１４ａ〜１４ｅにより、アプリケーションが情報を表示しない表示領域に対応する分割領域のＬＥＤを消灯する。または、表示した選択項目のうちユーザが選択した項目の表示領域よりも選択しなかった項目の表示領域に対応する分割領域のＬＥＤをより低い輝度レベルで点灯する。【選択図】        図２
2011077600.tif 000002
【特許請求の範囲】
【請求項１】
表示部の液晶パネルを照射するバックライト用のＬＥＤが配置されるバックライトエリアを、複数の分割領域に分割し、ユーザの操作により動作するアプリケーションが表示する情報の前記液晶パネルの表示領域に応じて、前記分割領域ごとに、前記ＬＥＤの点灯状態を制御するＬＥＤ輝度制御信号を生成して、前記分割領域ごとの前記ＬＥＤに送信することにより、前記ＬＥＤの点灯状態を制御する制御手段を備えていることを特徴とする携帯情報機器。
【請求項２】
前記制御手段が前記ＬＥＤ輝度制御信号により前記分割領域ごとに前記ＬＥＤの点灯状態を制御する際に、前記アプリケーションが前記液晶パネルに情報を表示しない表示領域に対応する前記分割領域の前記ＬＥＤを消灯することを特徴とする請求項１に記載の携帯情報機器。
【請求項３】
前記制御手段が前記ＬＥＤ輝度制御信号により前記分割領域ごとに前記ＬＥＤの点灯状態を制御する際に、前記アプリケーションが前記液晶パネルに表示した項目のうちユーザが選択した項目が表示された表示領域に対応する前記分割領域の前記ＬＥＤと、ユーザが選択しなかった項目が表示された表示領域に対応する前記分割領域の前記ＬＥＤと、を異なる輝度レベルで点灯することを特徴とする請求項１に記載の携帯情報機器。
【請求項４】
前記制御手段が前記ＬＥＤ輝度制御信号により前記分割領域ごとに前記ＬＥＤの点灯状態を制御する際に、ユーザが選択した項目が表示された表示領域に対応する前記分割領域の前記ＬＥＤを、あらかじめ定めた標準の輝度レベルで点灯し、ユーザが選択しなかった項目が表示された表示領域に対応する前記分割領域の前記ＬＥＤを、前記標準の輝度レベルよりもあらかじめ定めた値だけ低下させた輝度レベルで点灯することを特徴とする請求項３に記載の携帯情報機器。
【請求項５】
前記制御手段は、前記アプリケーションが前記液晶パネルに表示する情報の表示サイズを算出し、算出した該表示サイズに応じて、前記分割領域のうち、画面表示することが不要な表示領域に対応する前記分割領域を判別し、画面表示が不要と判別した当該表示領域に対応する前記分割領域の前記ＬＥＤを消灯することを特徴とする請求項１ないし４のいずれかに記載の携帯情報機器。
【請求項６】
前記アプリケーションが前記液晶パネルに表示する表示内容に応じて、前記分割領域の分割方向を上下方向または左右方向に設定することを特徴とする請求項１ないし５のいずれかに記載の携帯情報機器。
【請求項７】
前記アプリケーションの画面表示状況、前記液晶パネルの画面サイズ、前記液晶パネルの種別に合わせて、前記分割領域の分割数を変更することを特徴とする請求項１ないし６のいずれかに記載の携帯情報機器。
【請求項８】
表示部の液晶パネルを照射するバックライト用のＬＥＤが配置されるバックライトエリアを、複数の分割領域に分割し、ユーザの操作により動作するアプリケーションが表示する情報の前記液晶パネルの表示領域に応じて、前記分割領域ごとに、前記ＬＥＤの点灯状態を制御することを特徴とする携帯情報機器省電力方法。
【請求項９】
前記分割領域ごとに前記ＬＥＤの点灯状態を制御する際に、前記アプリケーションが前記液晶パネルに情報を表示しない表示領域に対応する前記分割領域の前記ＬＥＤを消灯することを特徴とする請求項８に記載の携帯情報機器省電力方法。
【請求項１０】
前記分割領域ごとに前記ＬＥＤの点灯状態を制御する際に、前記アプリケーションが前記液晶パネルに表示した項目のうちユーザが選択した項目が表示された表示領域に対応する前記分割領域の前記ＬＥＤと、ユーザが選択しなかった項目が表示された表示領域に対応する前記分割領域の前記ＬＥＤと、を異なる輝度レベルで点灯することを特徴とする請求項８に記載の携帯情報機器省電力方法。
【請求項１１】
前記分割領域ごとに前記ＬＥＤの点灯状態を制御する際に、ユーザが選択した項目が表示された表示領域に対応する前記分割領域の前記ＬＥＤを、あらかじめ定めた標準の輝度レベルで点灯し、ユーザが選択しなかった項目が表示された表示領域に対応する前記分割領域の前記ＬＥＤを、前記標準の輝度レベルよりもあらかじめ定めた値だけ低下させた輝度レベルで点灯することを特徴とする請求項１０に記載の携帯情報機器省電力方法。
【請求項１２】
前記アプリケーションが前記液晶パネルに表示する情報の表示サイズを算出し、算出した該表示サイズに応じて、前記分割領域のうち、画面表示することが不要な表示領域に対応する前記分割領域を判別し、画面表示が不要と判別した当該表示領域に対応する前記分割領域の前記ＬＥＤを消灯することを特徴とする請求項８ないし１１のいずれかに記載の携帯情報機器省電力方法。
【請求項１３】
前記アプリケーションが前記液晶パネルに表示する表示内容に応じて、前記分割領域の分割方向を上下方向または左右方向に設定することを特徴とする請求項８ないし１２のいずれかに記載の携帯情報機器省電力方法。
【請求項１４】
前記アプリケーションの画面表示状況、前記液晶パネルの画面サイズ、前記液晶パネルの種別に合わせて、前記分割領域の分割数を変更することを特徴とする請求項８ないし１３のいずれかに記載の携帯情報機器省電力方法。
【請求項１５】
請求項８ないし１４のいずれかに記載の携帯情報機器省電力方法を、コンピュータにより実行可能なプログラムとして実施していることを特徴とする携帯情報機器省電力プログラム。
【請求項１６】
請求項１５に記載の携帯情報機器省電力プログラムを、コンピュータにより読み取り可能な記録媒体に記録していることを特徴とするプログラム記録媒体。
【発明の詳細な説明】
【技術分野】
【０００１】
本発明は、携帯型情報機器、携帯情報機器省電力方法、携帯情報機器省電力プログラムおよびプログラム記録媒体に関する。
【背景技術】
【０００２】
近年、急速に携帯電話機が普及し、現在では、携帯電話機は、音声、メールの利用だけではなく、インターネットのＷＥＢサイトの閲覧、テレビの視聴などの利用も増加しており、これらの各機能における用途、使用方法も種々である。そのため、操作性を低下させることなく、携帯電話機の省電力化を実現することが重要な要素の一つとなっている。
【０００３】
しかしながら、今までの携帯電話機の液晶パネル（ＬＣＰ：Liquid Crystal Panel）への画面表示方法は、電源のオン時、折畳み式の携帯電話機の液晶パネルを開いた時、あるいは、音声発信をする時など、ユーザが携帯電話機を使用しようとする時点で、携帯電話機の液晶パネルの全画面を明るくするようにして画面表示している。このため、液晶表示装置（ＬＣＤ：Liquid Crystal Display）のバックライトエリア内の全てのＬＥＤ（Light Emitting Diode）が点灯した状態になり、携帯電話機の消費電力が増加し、携帯電話機のバッテリーライフ短縮の原因になっている。
【０００４】
かかる問題を解決するために、特許文献１の特開２００７−２１９２３４号公報「液晶表示装置のバックライト装置」においては、液晶表示装置のバックライトエリア内のＬＥＤを中央部、周囲部に分割し、マウスポインタの位置によって、バックライトエリア内の各部の輝度を任意に制御するというパーソナルコンピュータを実現する技術を提案している。
【０００５】
また、特許文献２の特開平０５−１９６９１５号公報「情報処理装置」においては、液晶表示装置のバックライトエリアを上下に分割してそれぞれに独立の光源と制御部とを設け、ユーザの指示にしたがって、バックライトの全面または半分の光源をオン・オフする設定を行い、かつ、アプリケーションの表示行数を、強制的に、ユーザが指示した設定に従うようにすることによって、情報処理装置の省電力化を図るという技術を提案している。
【先行技術文献】
【特許文献】
【０００６】
【特許文献１】特開２００７−２１９２３４号公報（第３−４頁）
【特許文献２】特開平０５−１９６９１５号公報（第２−３頁）
【発明の概要】
【発明が解決しようとする課題】
【０００７】
しかしながら、前記特許文献１のような技術は、通常の操作にマウスを使用するパーソナルコンピュータには適用することができるものの、一般的な携帯型情報機器の場合は、操作方法がパーソナルコンピュータとは異なるため、液晶表示装置のバックライトの点灯制御をマウスポインタ位置のみによって行うだけでは不十分である。例えば、マウスポインタの位置とは関係がない電話発信操作を行った場合、前記特許文献１のような制御方法では、液晶表示装置には全画面の液晶表示が行われることになり、省電力化を図ることができない。
【０００８】
また、前記特許文献２のような技術は、携帯型情報機器の省電力化を実現することを可能としているものの、ユーザの指示にしたがって液晶表示装置の表示可能領域が変更される都度、アプリケーションの表示行数を変更することが必要となり、携帯型情報機器の高機能化に応じて実装される多数のアプリケーション全てに亘って、かかる表示行数の動的な変更処理を組み込むことは、現実的に困難である。さらには、液晶表示装置の画面表示性能が低下してしまい、アプリケーションが例えば画像を表示しようとしても、一部の画像が欠けた不自然な画像や視認性が低下した小さな画像を表示せざるを得なくなるという問題もある。
【０００９】
本発明は、かかる事情に鑑みてなされたものであり、携帯型情報機器に搭載されるアプリケーションの変更を行うことなく、ユーザの利用シーンに応じて、液晶表示部のバックライトエリア各部のＬＥＤの消灯や輝度の変更を制御することが可能な携帯型情報機器、携帯情報機器省電力方法、携帯情報機器省電力プログラムおよびプログラム記録媒体を提供することを、その目的としている。
【課題を解決するための手段】
【００１０】
前述の課題を解決するため、本発明による携帯型情報機器は、次のような特徴的な構成を採用している。
【００１１】
（１）表示部の液晶パネルを照射するバックライト用のＬＥＤが配置されるバックライトエリアを、複数の分割領域に分割し、ユーザの操作により動作するアプリケーションが表示する情報の前記液晶パネルの表示領域に応じて、前記分割領域ごとに、前記ＬＥＤの点灯状態を制御するＬＥＤ輝度制御信号を生成して、前記分割領域ごとの前記ＬＥＤに送信することにより、前記ＬＥＤの点灯状態を制御する制御手段を備えている携帯情報機器。
【発明の効果】
【００１２】
本発明の携帯型情報機器、携帯情報機器省電力方法、携帯情報機器省電力プログラムおよびプログラム記録媒体によれば、以下のような効果を奏することができる。
【００１３】
第１に、ユーザの利用シーンに合わせて、表示部のバックライトエリアを複数の分割領域に分割して、バックライト用のＬＥＤの点灯制御を各分割領域ごとに分けて実行することによって、画面表示が不要な領域に相当するＬＥＤを消灯して、当該領域を暗転させることができるので、ユーザの操作性を維持しつつ、ＬＥＤの消費電力を抑えることができる。
【００１４】
第２に、動的に変動して表示する情報の表示サイズを自動的に算出して、算出した表示サイズに応じて、分割領域のうち、画面表示することが不要な液晶パネルの表示領域に対応する分割領域を自動的に判別することにより、画面表示が不要な表示領域に対応する分割領域を動的に変更して、該当する分割領域のＬＥＤを消灯して、当該分割領域を暗転させることができるので、ＬＥＤの消費電力をより確実に抑えることができる。
【００１５】
第３に、電話帳の検索操作時、メニュー検索操作時、インターネットのＷＥＢ閲覧メニュー操作時等において、ユーザが操作したカーソルポインタの位置に基づいて、分割領域のＬＥＤの輝度レベルを制御することにより、分割領域のうち、ユーザがカーソルポインタを操作して選択した項目が存在する分割領域（選択ブロック）の輝度レベルを標準の輝度レベルに設定してＬＥＤを点灯する一方、選択していない項目が存在する分割領域（周辺ブロック）の輝度レベルを標準からあらかじめ定めた値だけ低下させたレベルに設定してＬＥＤを点灯することができるので、ユーザの操作性を維持しつつ、ＬＥＤの消費電力を抑えることができる。
【００１６】
第４に、ユーザの利用シーンに応じて、つまり、ユーザの操作に基づいて動作するアプリケーションの液晶パネルへの表示内容に応じて、分割方向を液晶パネルの上下方向や左右方向に設定することが可能であり、また、実装する各アプリケーションの画面表示状況や液晶パネルの画面サイズや液晶パネルの種別に合わせて、表示部のバックライトエリアの分割数を変更することができるので、ユーザの操作性を維持しつつ、ＬＥＤの消費電力を抑えることができる。
【図面の簡単な説明】
【００１７】
【図１】本発明に係る携帯型情報機器の一例である携帯電話機の構成要部を示すブロック構成図である。
【図２】図１に示す携帯電話機の表示部の内部構成の一例を示すブロック構成図である。
【図３】図１に示す携帯電話機の蓋部を開放した際における表示部の液晶パネルの画面表示の一例を示す説明図である。
【図４】図１に示す携帯電話機の操作部のキー配列の一例を示す説明図である。
【図５】図１に示す携帯電話機の電話発着信以外の操作時における表示部の液晶パネルの画面表示の一例を示す説明図である。
【図６】図１に示す携帯電話機の電話帳検索操作時における表示部の液晶パネルの画面表示の一例を示す説明図である。
【図７】図１に示す携帯電話機のインターネットのＷＥＢ閲覧メニュー操作時における表示部の液晶パネルの画面表示の一例を示す説明図である。
【図８】図１に示す携帯電話機の表示部の液晶パネル画面表示の異なる例を示す説明図である。
【発明を実施するための形態】
【００１８】
以下、本発明による携帯型情報機器、携帯情報機器省電力方法、携帯情報機器省電力プログラムおよびプログラム記録媒体の好適な実施例について添付図を参照して説明する。なお、以下の説明においては、本発明による携帯型情報機器および携帯情報機器省電力方法について説明するが、かかる携帯情報機器省電力方法をコンピュータにより実行可能な携帯情報機器省電力プログラムとして実施するようにしても良いし、あるいは、携帯情報機器省電力プログラムをコンピュータにより読み取り可能な記録媒体に記録するようにしても良いことは言うまでもない。また、以下の説明においては、本発明による携帯型情報機器の一例として、携帯電話機を用いる場合について説明するが、本発明による携帯型情報機器は、かかる携帯電話機に限るものではなく、ＰＨＳ（Personal Handy-Phone System）端末やＰＤＡ（Personal Digital Assistants）機器や携帯型ＰＣ（Personal Computer)であっても良いし、携帯型音楽プレーヤであっても良い。
【００１９】
（本発明の特徴）
本発明の実施形態の説明に先立って、本発明の特徴についてその概要をまず説明する。本発明は、携帯型情報機器に搭載する液晶表示装置（ＬＣＤ：Liquid Crystal Display）のバックライトエリアを複数の領域に分割し、ユーザが、省電力モードに設定した以降において、ユーザの利用シーンに応じて、すなわち、起動したアプリケーションが使用する液晶パネルの表示画面サイズに応じて、分割したバックライトエリアのうち、表示が必要な領域に属するＬＥＤ（Light Emitting Diode）に電流を流して点灯させ、表示が不要な他の領域に属するＬＥＤには電流を流すことなく消灯させるように制御することを特徴としている。さらには、アプリケーションの動作に応じて点灯するＬＥＤに流す電流値を変更して、ＬＥＤの発光輝度レベルを変更することも可能とすることを特徴としている。
【００２０】
つまり、本発明は、携帯電話機等の携帯型情報機器のバックライトエリア内のＬＥＤを複数の分割領域に分割し、それぞれの分割領域毎の個別の輝度制御信号を用いることによって、ユーザが使用するシーンに合わせて、各分割領域毎のＬＥＤの輝度を、消灯を含めて任意に制御する機能を備えていることを特徴とし、携帯型情報機器のより一層の省電力化の向上を可能としている。例えば、携帯型情報機器による電話発信の発生時においては、液晶パネルの表示画面上の一部の領域を明転させて電話発信先の名前や電話番号を表示し、その他の領域は暗転させて何も表示しないように制御することも可能である。
【００２１】
而して、ユーザが省電力モードに設定した場合に、液晶パネルの不要な領域のバックライトを消灯させることにより、当該液晶パネルの画面表示性能を低下させることなく、携帯型情報機器の省電力効果を得ることを可能としている。
【００２２】
（本発明の実施形態）
次に、本発明に係る携帯型情報機器の実施形態について、その一例を説明する。図１は、本発明に係る携帯型情報機器の一例である携帯電話機の構成要部を示すブロック構成図である。図１に示す携帯電話機は、要部としては一般の携帯電話機と同様の構成からなっており、液晶パネル等からなる表示部１００、携帯用アンテナを含む無線部２００、全体の動作を制御する制御部３００、ユーザが操作を行う操作部４００、音声情報を扱う音声装置５００を少なくとも備えて構成している。ここで、当該携帯電話機は、表示部１００を蓋部とする折畳み式の携帯電話機であっても良い。
【００２３】
次に、図１に示す携帯電話機の表示部１００の内部構成について、図２を用いて説明する。図２は、図１に示す携帯電話機の表示部１００の内部構成の一例を示すブロック構成図であり、表示部１００を構成する液晶パネルを照射するバックライト装置の構成要部について示している。
【００２４】
図２において、バックライト装置は、文字や画像を表示する液晶パネル１１を照射するためのバックライトエリアを、分割領域１２ａ，１２ｂ，１２ｃ，１２ｄ，１２ｅと複数の領域（ブロック）に分割しており、バックライト用の光源となるＬＥＤを、それぞれの分割領域（ブロック）に対応して、ＬＥＤ１３ａ，１３ｂ，１３ｃ，１３ｄ，１３ｅと複数に分割して、各分割領域１２ａ，１２ｂ，１２ｃ，１２ｄ，１２ｅそれぞれに属するＬＥＤ１３ａ，１３ｂ，１３ｃ，１３ｄ，１３ｅの点灯制御を輝度制御回路１０から別々に制御することを可能としている。つまり、輝度制御回路１０は、分割領域１２ａ，１２ｂ，１２ｃ，１２ｄ，１２ｅそれぞれに属するＬＥＤ１３ａ，１３ｂ，１３ｃ，１３ｄ，１３ｅに対するＬＥＤ輝度制御信号を、ＬＥＤ輝度制御信号１４ａ，１４ｂ，１４ｃ，１４ｄ，１４ｅと、分割領域ごとに独立に生成して出力することができる構成としており、ＬＥＤ輝度制御信号により各分割領域１２ａ〜１２ｅのＬＥＤ１３ａ〜１３ｅの点灯、消灯を制御するのみならず、ＬＥＤ点灯時における輝度レベルも制御することを可能としている。
【００２５】
ここで、輝度制御回路１０は、携帯電話機の制御部３００と連動しており、携帯電話機のユーザが、操作部４００を介して、当該携帯電話機に対して何らかの操作を行った際に、あるいは、外部から電話着信信号等の外部信号が入力されてきた際に、該ユーザの操作や外部信号により起動されるアプリケーションの種類に応じて、制御部３００は、当該アプリケーションが液晶パネル１１に画面表示する文字や画像の表示領域を、使用領域として判別するとともに、判別した使用領域に基づいて、バックライトエリアの分割領域１２ａ，１２ｂ，１２ｃ，１２ｄ，１２ｅのうちいずれの領域を明転させ、いずれの領域を暗転させたままにするのかを判別し、点灯・消灯領域情報として出力する。さらに、アプリケーションの種類に基づいて、明転させる場合の輝度を分割領域ごとに判別して、輝度情報として出力する。なお、制御部３００は、携帯電話機のユーザが、操作部４００を介して、省電力モードに設定した場合においてのみ、かかる動作を実行する。
【００２６】
しかる後、制御部３００は、判別結果として出力した点灯・消灯領域情報および輝度情報を、輝度制御回路１０に対して送出する。輝度制御回路１０は、通知されてきた点灯・消灯領域情報および輝度情報に基づいて、ＬＥＤ輝度制御信号１４ａ，１４ｂ，１４ｃ，１４ｄ，１４ｅをそれぞれ生成して、分割領域１２ａ，１２ｂ，１２ｃ，１２ｄ，１２ｅそれぞれに属するＬＥＤ１３ａ，１３ｂ，１３ｃ，１３ｄ，１３ｅに対して出力する。この結果、携帯電話機に省電力モードが設定されていた場合、ＬＥＤ１３ａ，１３ｂ，１３ｃ，１３ｄ，１３ｅは、アプリケーションの使用領域に応じた液晶パネル１１の領域を明転させるように点灯することになり、使用領域以外の液晶パネル１１の領域については暗転したままになるように消灯することになる。さらには、点灯するＬＥＤについては、ユーザの利用シーンを反映している前記輝度情報に応じた明るさで点灯するように制御されることになる。
【００２７】
かくのごとく、ユーザが省電力モードに設定している場合において、ユーザが携帯電話機に対して何らかの操作を行った際や外部から外部信号が入力されてきた際に、輝度制御回路１０は、制御部３００からの指示に応じて、分割領域１２ａ，１２ｂ，１２ｃ，１２ｄ，１２ｅそれぞれに対応するＬＥＤ輝度制御信号１４ａ，１４ｂ，１４ｃ，１４ｄ，１４ｅを生成して、それぞれのＬＥＤ１３ａ，１３ｂ，１３ｃ，１３ｄ，１３ｅを点灯制御することにより、ユーザの操作や外部からの外部信号により起動される各アプリケーション毎の画面表示内容に応じて、分割領域１２ａ，１２ｂ，１２ｃ，１２ｄ，１２ｅそれぞれの輝度を調整して、液晶パネル１１の画面表示を必要とする分割領域については、指定された輝度で明転表示を行い、画面表示が不要な分割領域については、暗転した状態にすることができる。
【００２８】
つまり、ユーザが省電力モードに設定している場合、ユーザの利用シーンに応じて、液晶パネル１１の一部の領域（ブロック）に画面表示される情報を明るく表示する状態を保持したまま、残りの領域（ブロック）に対応するＬＥＤを消灯させることができ、必要な情報の表示性能を維持しつつ、ＬＥＤの消費電力を抑えた省電力モードを有する携帯電話機として動作することができる。
【００２９】
（実施形態の動作の説明）
次に、図１、図２に示した携帯電話機の動作について、その一例を、図３ないし図８の模式図を用いて詳細に説明する。なお、以下の説明においては、当該携帯電話機が、液晶パネル１１を蓋部に備えている折畳み式の携帯電話機であるものと仮定し、かつ、当該携帯電話機は、ユーザにより省電力モードに設定されている場合について、かかる折畳み式の携帯電話機の省電力化モードにおいて、当該携帯電話機の制御部３００が、液晶パネル１１の画面表示動作に関して省電力化の動作を行う場合について説明する。ただし、省電力化モードの場合、液晶パネル１１の画面表示動作のみならず、例えば、電話着信音や通話音量等の音声情報に関する省電力化を行うことも可能としているが、ここでは、液晶パネル１１の画面表示動作に関する省電力化動作について説明する。
【００３０】
＜携帯電話機の開閉時の動作説明＞
まず、折畳み式携帯電話機の蓋部をユーザが開放した場合の動作の一例を、図３の説明図を用いて説明する。図３は、図１に示す携帯電話機の蓋部を開放した際における表示部１００の液晶パネル１１の画面表示の一例を示す説明図であり、バックライトエリアの分割領域１２ａ，１２ｂ，１２ｃ，１２ｄ，１２ｅのうち、最上部の分割領域１２ａに対応するＬＥＤ１３ａのみを点灯している状態を示している。
【００３１】
つまり、ユーザが、折畳み式携帯電話機の蓋部を開放したとき、当該携帯電話機の制御部３００は、蓋部が開放されたことを感知し、蓋部開放時の初期画面表示用のアプリケーションを起動して、表示部１００の液晶パネル１１に、開放状態を示す文字列を出力するとともに、蓋部開放時の点灯・消灯領域情報および輝度情報を生成して、輝度制御回路１０へ送信する。
【００３２】
ここで、蓋部開放時の点灯・消灯領域情報としては、蓋部開放時の初期画面表示用のアプリケーションが出力する文字列を画面表示する領域である分割領域１２ａのＬＥＤ１３ａのみを点灯し、その他の分割領域１２ｂ〜１２ｅのＬＥＤ１３ｂ〜１３ｅを消灯する旨の情報を生成し、また、点灯させるＬＥＤ１３ａに関する輝度情報としては、あらかじめ定めた標準の輝度レベルである旨の情報を生成して、生成した点灯・消灯領域情報および輝度情報を、輝度制御回路１０に通知する。
【００３３】
制御部３００からの通知を受け取った輝度制御回路１０は、受け取った点灯・消灯領域情報および輝度情報に基づいて、標準輝度レベルで点灯することを指示するＬＥＤ輝度制御信号１４ａを生成して、分割領域１２ａのＬＥＤ１３ａに対して出力することにより、ＬＥＤ１３ａを標準輝度レベルで点灯させて、蓋部開放時の初期画面表示用のアプリケーションが出力文字列を画面表示する領域である分割領域１２ａに相当する液晶パネル１１の最上部の領域を明転させる。一方、その他の分割領域１２ｂ〜１２ｅに関しては、消灯することを指示するＬＥＤ輝度制御信号１４ｂ〜１４ｅをそれぞれ生成して、分割領域１２ｂ〜１２ｅのＬＥＤ１３ｂ〜１３ｅに対して出力して、液晶パネル１１の分割領域１２ｂ〜１２ｅに相当する領域を暗転状態に設定する。
【００３４】
ここで、蓋部開放時の初期画面表示用のアプリケーションが出力する開放状態を示す文字列としては、例えば、図３に示すように、現在の電池残量、アンテナバー状態、時計（現在時刻）、音声メール着信有無、留守電有無などとする。ただし、蓋部開放時に出力する開放状態を示す文字列については、携帯電話機の実装状態次第で、かかる場合のみに限るものではなく、如何なる文字列を表示するようにしても良い。
【００３５】
また、蓋部開放時における図３のような表示部１００の液晶パネル１１の画面表示状態は、以降、ユーザが電話発信等の何らかの操作を行うまで、あるいは、電話着信等の何らかの外部信号が入力されてくるまで、継続することになる。
【００３６】
＜携帯電話機の電話発着信以外の操作時の動作説明＞
次に、携帯電話機の蓋部を開放し図３のような画面表示をしている状態で電話発着信以外の操作をユーザが行った場合の動作の一例について説明する。図４は、図１に示す携帯電話機の操作部４００のキー配列の一例を示す説明図であり、電話発信時の電話番号を入力するための置数キー部４１０と、各種の機能を有する機能キー部４２０とから構成されている。
【００３７】
置数キー部４１０は、“０”〜“９”までの数字キーと“＊”キー、“＃”キーとからなっており、電話番号等を入力するためのキー群として構成されている。また、機能キー部４２０は、各種メニュー画面を表示するための左シフトキー“ＬＳＫ”、右シフトキー“ＲＳＫ”、カーソルポインタの表示位置等の制御や選択項目の決定操作を行うためのカーソルキーを形成するセンターキー“ＣＳＫ”、メール処理ソフトやインターネットのＷＥＢサイト閲覧用ソフト等の各種アプリケーションを起動するためのアプリ１キー“Ａｐｐ１”、アプリ２キー“Ａｐｐ２”、電話発信や着信応答を指示するための通話キー“Ｓｅｎｄ”、通話状態を終了する指示を行うための終話キー“Ｅｎｄ”、操作を初期化するためのクリアキー“Ｃｌｅａｒ”等からなっている。この他に、図４には、音量を上下させるための音量Ｕｐ／Ｄｏｗｎキー“Ｖｏｌｕｍｅ”も記載している。
【００３８】
電話発着信以外の操作として、図４の機能キー部４２０のいずれかのキーを操作した場合、制御部３００は、機能キー部４２０のいずれかのキーの操作を検知して、操作された機能キーに割り当てられたアプリケーションを起動して、表示部１００の液晶パネル１１に、操作された機能キー用の初期画面として表示する文字列を出力するとともに、蓋部開放時の点灯・消灯領域情報および輝度情報を生成して、輝度制御回路１０へ送信する。
【００３９】
ここで、機能キー操作時の点灯・消灯領域情報としては、例えば、機能キー操作時のアプリケーションが出力する文字列や画像が液晶パネル１１の全領域に及ぶ場合、分割領域１２ａ〜１２ｅの全領域のＬＥＤ１３ａ〜１３ｅを点灯する旨の情報を生成し、また、点灯させるＬＥＤ１３ａ１３ａ〜１３ｅに関する輝度情報としては、分割領域１２ａ〜１２ｅごとに該アプリケーションにより指定された輝度レベルに関する情報を生成して、生成した点灯・消灯領域情報および輝度情報を、輝度制御回路１０に通知する。
【００４０】
制御部３００からの通知を受け取った輝度制御回路１０は、受け取った点灯・消灯領域情報および輝度情報に基づいて、分割領域１２ａ〜１２ｅごとに、指定された輝度レベルで点灯することを指示するＬＥＤ輝度制御信号１４ａ〜１４ｅを生成して、分割領域１２ａ〜１２ｅのＬＥＤ１３ａ〜１３ｅに対して出力することにより、ＬＥＤ１３ａ〜１３ｅを指定された輝度レベルで点灯させて、操作された機能キー用の初期画面として表示する文字列が配置されている液晶パネル１１の表示領域に対応する分割領域例えば分割領域１２ａ〜１２ｅの全領域を、指定されたそれぞれの輝度レベルで明転させる状態に設定する。
【００４１】
＜電話発信時の動作説明＞
次に、携帯電話機の蓋部を開放し図３のような画面表示をしている状態で電話発信の操作をユーザが行った場合の動作の一例について説明する。図５は、携帯電話機の電話発信操作時における表示部１００の液晶パネル１１の画面表示の一例を示す説明図であり、バックライトエリアの分割領域１２ａ〜１２ｅのＬＥＤ１３ａ〜１３ｅのうち、蓋部開放時における最上部の分割領域１２ａのＬＥＤ１３ａの他に、電話発信時の文字列表示用としてさらに最下部の分割領域１２ｅのＬＥＤ１３ｅを点灯している状態を示している。ここで、電話発信操作は、図４に示した操作部４００の機能キー部４２０の通話キー“Ｓｅｎｄ”をユーザが操作した後、置数キー部４１０の数字キー“０”〜“９”および“＊”キー、“＃”キーのいずれかの組合せを操作することによって行う。
【００４２】
電話発信操作として、図４の機能キー部４２０の通話キー“Ｓｅｎｄ”をユーザが操作した場合、制御部３００は、通話キー“Ｓｅｎｄ”のキー操作を検知して、操作された通話キー“Ｓｅｎｄ”に割り当てられた電話発信用のアプリケーションを起動し、起動した電話発信用のアプリケーションは、表示部１００の液晶パネル１１に、操作された通話キー“Ｓｅｎｄ”用の初期画面として表示する文字列（例えば、電話番号の入力操作を促す文字列）を出力するとともに、電話発信時の点灯・消灯領域情報および輝度情報を生成して、輝度制御回路１０へ送信する。
【００４３】
ここで、通話キー“Ｓｅｎｄ”操作時の点灯・消灯領域情報としては、蓋部開放時に明転している最上部の分割領域１２ａのＬＥＤ１３ａ以外に、操作された通話キー“Ｓｅｎｄ”に割り当てられた電話発信用のアプリケーションが出力する文字列を画面表示する領域である最下部の分割領域１２ｅのＬＥＤ１３ｅをさらに点灯し、残りの分割領域１２ｂ〜１２ｄのＬＥＤ１３ｂ〜１３ｄを消灯する旨の情報を生成し、また、点灯させるＬＥＤ１３ｅに関する輝度情報としては、例えば標準の輝度レベルである旨の情報を生成して、生成した点灯・消灯領域情報および輝度情報を、輝度制御回路１０に通知する。
【００４４】
制御部３００からの通知を受け取った輝度制御回路１０は、受け取った点灯・消灯領域情報および輝度情報に基づいて、蓋部開放時の文字列表示用の領域である分割領域１２ａのＬＥＤ１３ａを点灯したままにするとともに、電話発信時の文字列を表示させるために、例えば標準輝度レベルで点灯することを指示するＬＥＤ輝度制御信号１４ｅを生成して、分割領域１２ｅのＬＥＤ１３ｅに対して出力することにより、ＬＥＤ１３ｅを標準輝度レベルで点灯させて、電話発信用のアプリケーションが出力文字列を画面表示する領域の分割領域１２ｅに相当する液晶パネル１１の最下部の領域を明転させる。一方、最上部の分割領域１２ａ、最下部の分割領域１２ｅ以外の残りの分割領域１２ｂ〜１２ｄに関しては、消灯することを指示するＬＥＤ輝度制御信号１４ｂ〜１４ｄをそれぞれ生成して、分割領域１２ｂ〜１２ｄのＬＥＤ１３ｂ〜１３ｄに対して出力して、液晶パネル１１の分割領域１２ｂ〜１２ｄに相当する領域を暗転したままの状態に設定する。
【００４５】
しかる後、電話番号入力操作として、図４の置数キー部４１０の数字キー“０”〜“９”、“＊”キー、“＃”キーのいずれかの組合せをユーザが操作した場合、制御部３００は、置数キー部４１０の数字キー“０”〜“９”、“＊”キー、“＃”キーのキー操作を順次検知して、数字キー“０”〜“９”、“＊”キー、“＃”キーの操作情報を電話発信用のアプリケーションに引き継ぎ、電話発信用のアプリケーションは、表示部１００の液晶パネル１１において電話発信用の文字列を表示する分割領域１２ｅに、操作された数字キー“０”〜“９”、“＊”キー、“＃”キーの操作情報を電話番号として順次表示する。
【００４６】
さらに、電話発信用のアプリケーションは、当該携帯電話機が電子電話帳を有している場合、入力された電話番号に基づいて電子電話帳を検索して、入力された電話番号が該電子電話帳に登録されている電話番号であった場合は、当該電話番号に相当する氏名（図５の例では、“○○太郎”）を発信先の氏名として抽出して、表示部１００の液晶パネル１１の分割領域１２ｅに追加して表示する。しかる後、電話発信用のアプリケーションは、入力された電話番号に基づいて発信要求を制御部３００に通知することにより、制御部３００は、無線部２００を介して、基地局との間で発信動作を行う。この際、電話発信用のアプリケーションは、図５に示すように、発信中である旨を示す情報つまり“発信中”の文字列を表示部１００の液晶パネル１１の分割領域１２ｅに追加して表示する。
【００４７】
しかる後、制御部３００は、無線部２００を介して、発信先の相手が応答したことを検知すると、電話発信用のアプリケーションにその旨を通知してくるので、電話発信用のアプリケーションは、発信先の相手と通話状態に入ったことを確認して、通話状態においては、表示部１００の画面表示は必要がないので、液晶パネル１１の全領域を暗転させるために、分割領域１２ａ〜１２ｅのＬＥＤ１３ａ〜１３ｅの全てを消灯する旨の情報を生成して、生成した点灯・消灯領域情報を、輝度制御回路１０に通知する。
【００４８】
制御部３００からの通知を受け取った輝度制御回路１０は、受け取った点灯・消灯領域情報に基づいて、分割領域１２ａ〜１２ｅの全ての領域の消灯を指示するＬＥＤ輝度制御信号１４ａ〜１４ｅを生成して、分割領域１２ａ〜１２ｅのＬＥＤ１３ａ〜１３ｅに対してそれぞれ出力して、液晶パネル１１の分割領域１２ａ〜１２ｅの全領域を暗転した状態に設定する。
【００４９】
＜電話着信時の動作説明＞
次に、携帯電話機の蓋部を開放し図３のような画面表示をしている状態で電話着信を示す外部信号を受け取った時の動作の一例について説明する。なお、携帯電話機の蓋部を閉じている状態で、着信音の鳴動や携帯電話機のバイブレーション機能によってユーザが電話着信を認識した場合に、電話着信に対する操作を行うために、携帯電話機の蓋部を開放する操作をユーザが行った場合についても、全く同様であり、図３に示したように、表示部１００の液晶パネル１１の最上部に相当する分割領域１２ａが明転した状態に設定される。
【００５０】
また、電話着信時においても、バックライトエリアの各分割領域１２ａ〜１２ｅのＬＥＤ１３ａ〜１３ｅに対する点灯制御は、前述した電話発信時の場合と同様であり、図５に示したように、バックライトエリアの分割領域１２ａ〜１２ｅのＬＥＤ１３ａ〜１３ｅのうち、蓋部開放時における最上部の分割領域１２ａのＬＥＤ１３ａの他に、電話着信時の文字列表示用としてさらに最下部の分割領域１２ｅのＬＥＤ１３ｅを点灯する。
【００５１】
制御部３００は、無線部２００を介して、外部信号として電話着信を検知すると、電話着信用のアプリケーションを起動し、起動した電話着信用のアプリケーションは、表示部１００の液晶パネル１１に、電話着信の初期画面として表示する文字列（例えば、発信元の相手の氏名や電話番号を示す文字列）を出力するとともに、電話発信時の点灯・消灯領域情報および輝度情報を生成して、輝度制御回路１０へ送信する。
【００５２】
ここで、電話着信時の点灯・消灯領域情報としては、電話発信時の場合と同様、蓋部開放時に明転している最上部の分割領域１２ａのＬＥＤ１３ａ以外に、電話着信用のアプリケーションが出力する文字列を画面表示する領域である最下部の分割領域１２ｅのＬＥＤ１３ｅをさらに点灯し、残りの分割領域１２ｂ〜１２ｄのＬＥＤ１３ｂ〜１３ｄを消灯する旨の情報を生成し、また、点灯させるＬＥＤ１３ｅに関する輝度情報としては、例えば標準の輝度レベルである旨の情報を生成して、生成した点灯・消灯領域情報および輝度情報を、輝度制御回路１０に通知する。
【００５３】
制御部３００からの通知を受け取った輝度制御回路１０は、受け取った点灯・消灯領域情報および輝度情報に基づいて、蓋部開放時の文字列表示用の領域である分割領域１２ａのＬＥＤ１３ａを点灯したままにするとともに、電話着信時の文字列を表示させるために、例えば標準輝度レベルで点灯することを指示するＬＥＤ輝度制御信号１４ｅを生成して、分割領域１２ｅのＬＥＤ１３ｅに対して出力することにより、ＬＥＤ１３ｅを標準輝度レベルで点灯させて、電話着信用のアプリケーションが出力文字列を画面表示する領域の分割領域１２ｅに相当する液晶パネル１１の最下部の領域を明転させる。一方、最上部の分割領域１２ａ、最下部の分割領域１２ｅ以外の残りの分割領域１２ｂ〜１２ｄに関しては、消灯することを指示するＬＥＤ輝度制御信号１４ｂ〜１４ｄをそれぞれ生成して、分割領域１２ｂ〜１２ｄのＬＥＤ１３ｂ〜１３ｄに対して出力して、液晶パネル１１の分割領域１２ｂ〜１２ｄに相当する領域を暗転したままの状態に設定する。
【００５４】
なお、電話着信用のアプリケーションは、当該携帯電話機が電子電話帳を有している場合、電話着信時の発信元の電話番号に基づいて電子電話帳を検索して、発信元電話番号が該電子電話帳に登録されている電話番号であった場合は、当該電話番号に相当する氏名（図５の例では、“○○太郎”）を発信元の氏名として抽出して、発信元の電話番号とともに、表示部１００の液晶パネル１１の分割領域１２ｅに表示する。さらに、電話着信用のアプリケーションは、ユーザが操作部４００の通話キー“Ｓｅｎｄ”を操作して着信応答に関する操作を行うまで、図５に示す“発信中”の代わりに、電話着信中である旨を示す情報つまり“着信中”の文字列を表示部１００の液晶パネル１１の分割領域１２ｅに追加して表示する。
【００５５】
しかる後、制御部３００は、ユーザによる操作部４００の通話キー“Ｓｅｎｄ”の操作を検知すると、電話着信用のアプリケーションにその旨を通知してくるので、電話着信用のアプリケーションは、着信応答により発信元の通話相手と通話状態に入ったことを確認して、通話状態においては、電話発信時の場合と同様、表示部１００の画面表示は必要がないので、液晶パネル１１の全領域を暗転させるために、分割領域１２ａ〜１２ｅのＬＥＤ１３ａ〜１３ｅの全てを消灯する旨の情報を生成して、生成した点灯・消灯領域情報を、輝度制御回路１０に通知する。
【００５６】
制御部３００からの通知を受け取った輝度制御回路１０は、受け取った点灯・消灯領域情報に基づいて、分割領域１２ａ〜１２ｅの全ての領域の消灯を指示するＬＥＤ輝度制御信号１４ａ〜１４ｅを生成して、分割領域１２ａ〜１２ｅのＬＥＤ１３ａ〜１３ｅに対してそれぞれ出力して、液晶パネル１１の分割領域１２ａ〜１２ｅの全領域を暗転した状態に設定する。
【００５７】
（他の実施形態）
次に、前述した本発明に係る携帯型情報機器の実施形態とは異なる実施形態についてさらに説明する。前述の実施形態においては、有効な情報のみを表示するために、表示部１００の液晶パネル１１の表示可能領域のうち、有効な情報が表示されている一部の分割領域に相当する表示領域のみを明転させ、その他の分割領域に相当する表示領域は、暗転させた状態に設定する場合について説明したが、本発明は、かかる場合に限るものではなく、ユーザの利用シーンの中には、表示部１００の液晶パネル１１の表示可能領域の全領域について、複数に分割したそれぞれの領域毎に、ユーザの操作状況に応じて輝度レベルを変更して情報を表示させる方が、使い勝手が良くなる場合もある。
【００５８】
例えば、電話帳の検索操作や、メニューの検索操作、インターネットのＷＥＢ閲覧メニュー操作などが該当している。かかる場合においては、表示部１００の液晶パネル１１に表示した検索画面として、選択した項目を表示している分割領域と選択しなかった項目を表示している分割領域との輝度レベルを変えて、表示部１００の液晶パネル１１に画面表示することによって、省電力化を図ることが、ユーザの操作性を維持し向上するためにも望ましい。以下に、電話帳の検索操作時およびインターネットのＷＥＢ閲覧メニュー操作時における画面表示例について説明する。
【００５９】
＜電話帳の検索操作時の画面表示例＞
まず、電話帳の検索操作時における表示部１００の液晶パネル１１の画面表示例について、図６を用いて説明する。図６は、図１に示す携帯電話機の電話帳検索操作時における表示部１００の液晶パネル１１の画面表示の一例を示す説明図であり、分割領域１２ａ〜１２ｅそれぞれに対応して、電子電話帳に登録されている通話相手を示す情報（氏名、電話番号）が順次表示されている例を示している。
【００６０】
図６のような表示画面において、制御部３００は、操作部４００のカーソルキーすなわち図４に示すセンターキー“ＣＳＫ”のユーザの操作に応じて、輝度制御回路１０に通知する点灯・消灯領域情報および輝度情報のうち、輝度情報を変更する動作を行うものであり、カーソルキーすなわち図４に示すセンターキー“ＣＳＫ”により選択してカーソルポインタが置かれた表示領域に相当する分割領域のみを標準の輝度レベルで表示し、その他の分割領域については、暗転させるのではなく、標準輝度よりもあらかじめ定めた値だけ輝度レベルを低下させた輝度で表示するように制御する。
【００６１】
例えば、図６においてユーザが操作部４００のカーソルキーすなわち図４に示すセンターキー“ＣＳＫ”を操作して、分割領域１２ｄに表示されている“○○四郎”を選択して、“○○四郎”の表示領域にカーソルポインタを置いた場合、制御部３００は、カーソルポインタが置かれた画面位置を感知して、分割領域１２ａ〜１２ｅのＬＥＤ１３ａ〜１３ｅのうち、カーソルポインタが置かれている分割領域１２ｄのＬＥＤ１３ｄを標準の輝度レベルで点灯させ、残りの分割領域１２ａ〜１２ｃ，１２ｅのＬＥＤ１３ａ〜１３ｃ，１３ｅについては標準よりもあらかじめ定めた値だけ低下させた輝度レベルで点灯させる輝度情報を生成して、輝度制御回路１０に通知する。なお、点灯・消灯領域情報については、分割領域１２ａ〜１２ｅのＬＥＤ１３ａ〜１３ｅの全てを点灯させる旨を示す情報を生成して、輝度制御回路１０に通知する。
【００６２】
制御部３００からの通知を受け取った輝度制御回路１０は、受け取った点灯・消灯領域情報および輝度情報に基づいて、分割領域１２ｄのＬＥＤ１３ｄを標準輝度レベルで点灯させる旨のＬＥＤ輝度制御信号１４ｄを生成するとともに、残りの分割領域１２ａ〜１２ｃ，１２ｅのＬＥＤ１３ａ〜１３ｃ，１３ｅを標準よりも低下させた輝度レベルで点灯させる旨のＬＥＤ輝度制御信号１４ａ〜１４ｃ，１４ｅを生成して、それぞれ、分割領域１２ａ〜１２ｅのＬＥＤ１３ａ〜１３ｅに対して出力することにより、ＬＥＤ１３ａ〜１３ｅをそれぞれの輝度レベルで点灯させる。
【００６３】
而して、ユーザが電話帳検索操作を行った場合、ユーザの操作状況を反映して、ユーザがカーソルキーにより選択した通話相手に比し、他の通話相手を標準よりも低下させた輝度レベルで表示するので、ユーザの操作性を維持しつつ、省電力化を図ることができる。つまり、ユーザが操作部４００のカーソルキーすなわちセンターキー“ＣＳＫ”を操作した場合、図６に示すように、制御部３００は、カーソルポインタの画面位置を示す信号に基づいて、カーソルポインタの画面位置に相当する分割領域のＬＥＤを標準の輝度レベルで点灯するように制御し、カーソルポインタの画面位置に相当していない他の分割領域のＬＥＤを、標準よりも低下させた輝度レベルで点灯するように制御することにより、ユーザの選択状況を明瞭に提示することができ、高い操作性を維持しつつ、ＬＥＤの消費電力を抑えた省電力動作を可能としている。
【００６４】
＜インターネットのＷＥＢ閲覧メニュー操作時の画面表示例＞
次に、インターネットのＷＥＢ閲覧メニュー操作時における表示部１００の液晶パネル１１の画面表示例について、図７を用いて説明する。図７は、図１に示す携帯電話機のインターネットのＷＥＢ閲覧メニュー操作時における表示部１００の液晶パネル１１の画面表示の一例を示す説明図であり、分割領域１２ａ〜１２ｅそれぞれに対応して、インターネットのＷＥＢ閲覧メニューに登録されている各項目が順次表示されている例を示している。
【００６５】
図７のような表示画面において、制御部３００は、図６の場合と同様、操作部４００のカーソルキーすなわち図４に示すセンターキー“ＣＳＫ”のユーザの操作に応じて、輝度制御回路１０に通知する点灯・消灯領域情報および輝度情報のうち、輝度情報を変更する動作を行うものであり、カーソルキーすなわち図４に示すセンターキー“ＣＳＫ”により選択してカーソルポインタが置かれた表示領域に相当する分割領域のみを標準の輝度レベルで表示し、その他の分割領域については、暗転させるのではなく、標準輝度よりもあらかじめ定めた値だけ輝度レベルを低下させた輝度で表示するように制御する。
【００６６】
例えば、図７においてユーザが操作部４００のカーソルキーすなわち図４に示すセンターキー“ＣＳＫ”を操作して、分割領域１２ａに表示されている“Ｙａｈｏｏ（登録商標）！ニュース”を選択して、“Ｙａｈｏｏ！ニュース”の表示領域にカーソルポインタを置いた場合、制御部３００は、カーソルポインタが置かれた画面位置を感知して、分割領域１２ａ〜１２ｅのＬＥＤ１３ａ〜１３ｅのうち、カーソルポインタが置かれている分割領域１２ａのＬＥＤ１３ａを標準の輝度レベルで点灯させ、残りの分割領域１２ｂ〜１２ｅのＬＥＤ１３ｂ〜１３ｅについては標準よりもあらかじめ定めた値だけ低下させた輝度レベルで点灯させる輝度情報を生成して、輝度制御回路１０に通知する。なお、点灯・消灯領域情報については、分割領域１２ａ〜１２ｅのＬＥＤ１３ａ〜１３ｅの全てを点灯させる旨を示す情報を生成して、輝度制御回路１０に通知する。
【００６７】
制御部３００からの通知を受け取った輝度制御回路１０は、受け取った点灯・消灯領域情報および輝度情報に基づいて、分割領域１２ａのＬＥＤ１３ａを標準輝度レベルで点灯させる旨のＬＥＤ輝度制御信号１４ａを生成するとともに、残りの分割領域１２ｂ〜１２ｅのＬＥＤ１３ｂ〜１３ｅを標準よりも低下させた輝度レベルで点灯させる旨のＬＥＤ輝度制御信号１４ｂ〜１４ｅを生成して、それぞれ、分割領域１２ａ〜１２ｅのＬＥＤ１３ａ〜１３ｅに対して出力することにより、ＬＥＤ１３ａ〜１３ｅをそれぞれの輝度レベルで点灯させる。
【００６８】
而して、ユーザがインターネットのＷＥＢ閲覧メニューの検索操作を行った場合、ユーザの操作状況を反映して、ユーザがカーソルキーにより選択したＷｅｂ閲覧項目“Ｙａｈｏｏ！ニュース”に比し、他のＷｅｂ閲覧項目を標準よりも低下させた輝度レベルで表示するので、ユーザの操作性を維持しつつ、省電力化を図ることができる。
【００６９】
＜表示情報の表示サイズ自動算出による画面表示例＞
次に、前述の各実施形態とはさらに異なる実施形態について、図８を用いて説明する。本実施形態においては、制御部３００は、前述の各実施形態とは異なり、表示部１００の液晶パネル１１に画面表示したい情報の表示サイズを自動的に算出し、液晶パネル１１の分割領域１２ａ〜１２ｅのうち算出した表示サイズがどの分割領域に属しているかを判別することにより、算出した表示サイズが属していない分割領域については、該当するＬＥＤを消灯させて暗転表示するように制御する。図８は、図１に示す携帯電話機の表示部の液晶パネル画面表示の異なる例を示す説明図であり、画面表示したい情報の表示サイズの算出結果に基づいて、分割領域１２ａ〜１２ｅの明暗を自動的に設定する例を、メールの受信ＢＯＸを画面表示する場合について示している。
【００７０】
図８において、制御部３００は、図４に示す操作部４００の機能キー部４２０の各機能キーのうち、メール処理用のアプリケーションを起動するための機能キーとして例えばアプリ１キー“Ａｐｐ１”をユーザが操作して、メールの受信ＢＯＸを表示部１００の液晶パネル１１に画面表示しようとすることを検知した場合、メールの受信ＢＯＸを画面表示する場合の表示サイズをまず自動的に算出する。ここで、図８に示す例のように、受信ＢＯＸには、メールが１通も受信されていなく、「受信ＢＯＸ」というタイトル表示のみを表示する場合であれば、該「受信ＢＯＸ」という表示情報に基づいて自動的に算出される表示サイズとしては、該タイトルの表示に必要とする液晶パネル１１の表示領域が、分割領域１２ａ〜１２ｅのうち、分割領域１２ａに相当する表示領域のみで充分であり、残りの分割領域１２ｂ〜１２ｅに相当する表示領域には表示しようとするメール受信情報はないものと判定する。したがって、制御部３００は、分割領域１２ａのＬＥＤ１３ａのみを点灯させ、残りの分割領域１２ｂ〜１２ｅのＬＥＤ１３ｂ〜１３ｅを消灯させる旨を示す点灯・消灯領域情報を生成して、輝度制御回路１０に通知する。なお、点灯させるＬＥＤ１３ａの輝度情報については、例えば標準の輝度レベルである旨を示す情報を生成して、輝度制御回路１０に通知する。
【００７１】
制御部３００からの通知を受け取った輝度制御回路１０は、受け取った点灯・消灯領域情報および輝度情報に基づいて、分割領域１２ａのＬＥＤ１３ａを標準輝度レベルで点灯させる旨のＬＥＤ輝度制御信号１４ａを生成するとともに、残りの分割領域１２ｂ〜１２ｅのＬＥＤ１３ｂ〜１３ｅを消灯させる旨のＬＥＤ輝度制御信号１４ｂ〜１４ｅを生成して、それぞれ、分割領域１２ａ〜１２ｅのＬＥＤ１３ａ〜１３ｅに対して出力することにより、ＬＥＤ１３ａを点灯させて、分割領域１２ａを明転させ、ＬＥＤ１３ｂ〜１３ｅを消灯させて、分割領域１２ｂ〜１２ｅを暗転させる。
【００７２】
而して、表示部１００の液晶パネル１１に表示しようとする情報の表示サイズを自動的に算出した結果に基づいて、液晶パネル１１の各表示領域に相当する分割領域１２ａ〜１２ｅのうち、明転させる分割領域と暗転させる分割領域とを動的に変更することを可能としている。
【００７３】
＜バックライトエリアの分割領域の割付例＞
以上の各実施形態においては、表示部１００の液晶パネル１１を照射するためのバックライトエリアを分割する分割領域１２ａ〜１２ｅを、液晶パネル１１の上下方向に分割する例を示したが、アプリケーションの表示内容如何により、場合によっては、液晶パネル１１の左右方向に分割するようにしても良い。また、分割領域１２ａ〜１２ｅの分割数についても、実装する各アプリケーションの画面表示状況に応じて、任意の個数に分割するようにし、例えば、各アプリケーションの各種の液晶パネル１１への表示サイズのうち、最小となる表示サイズに基づいて分割するようにしても良い。あるいは、搭載する液晶パネル１１の画面サイズや液晶パネル１１の種別に応じて分割数を変更するようにしても良い。
【００７４】
（実施形態の効果の説明）
以上詳細に説明したように、本発明に係る各実施形態において以下のような効果が得られる。
【００７５】
第１に、ユーザの利用シーンに合わせて、表示部１００のバックライトエリアを複数の分割領域１２ａ〜１２ｅに分割して、バックライト用のＬＥＤ１３ａ〜１３ｅの点灯制御を各分割領域ごとのＬＥＤ輝度制御信号１４ａ〜１４ｅに分けて出力することによって、画面表示が不要な領域に相当するＬＥＤを消灯して、当該領域を暗転させることができるので、ユーザの操作性を維持しつつ、ＬＥＤの消費電力を抑えることができる。
【００７６】
第２に、アプリケーションの動作により動的に変動して表示する情報の表示サイズを自動的に算出して、算出した表示サイズに応じて、分割領域１２ａ〜１２ｅのうち、画面表示することが不要な液晶パネル１１の表示領域に対応する分割領域を自動的に判別することにより、画面表示が不要な表示領域に対応する分割領域を動的に変更して、該当する分割領域のＬＥＤを消灯して、当該分割領域を暗転させることができるので、ＬＥＤの消費電力をより確実に抑えることができる。
【００７７】
第３に、電話帳の検索操作時、メニュー検索操作時、インターネットのＷＥＢ閲覧メニュー操作時等において、ユーザが操作したカーソルポインタの位置に基づいて、分割領域１２ａ〜１２ｅのＬＥＤ１３ａ〜１３ｅの輝度レベルを制御することにより、分割領域１２ａ〜１２ｅのうち、ユーザがカーソルポインタを操作して選択した項目が存在する分割領域（選択ブロック）の輝度レベルを標準の輝度レベルに設定してＬＥＤを点灯する一方、選択していない項目が存在する分割領域（周辺ブロック）の輝度レベルを標準からあらかじめ定めた値だけ低下させたレベルに設定してＬＥＤを点灯することができるので、ユーザの操作性を維持しつつ、ＬＥＤの消費電力を抑えることができる。
【００７８】
第４に、ユーザの利用シーンに応じて、つまり、ユーザの操作に基づいて動作するアプリケーションの液晶パネル１１への表示内容に応じて、分割方向を液晶パネル１１の上下方向や左右方向に設定することが可能であり、また、実装する各アプリケーションの画面表示状況や液晶パネル１１の画面サイズや液晶パネル１１の種別に合わせて、表示部１００のバックライトエリアの分割数を変更することができるので、ユーザの操作性を維持しつつ、ＬＥＤの消費電力を抑えることができる。
【００７９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記制御手段が前記ＬＥＤ輝度制御信号により前記分割領域ごとに前記ＬＥＤの点灯状態を制御する際に、前記アプリケーションが前記液晶パネルに情報を表示しない表示領域に対応する前記分割領域の前記ＬＥＤを消灯する上記（１）の携帯情報機器。
（３）前記制御手段が前記ＬＥＤ輝度制御信号により前記分割領域ごとに前記ＬＥＤの点灯状態を制御する際に、前記アプリケーションが前記液晶パネルに表示した項目のうちユーザが選択した項目が表示された表示領域に対応する前記分割領域の前記ＬＥＤと、ユーザが選択しなかった項目が表示された表示領域に対応する前記分割領域の前記ＬＥＤと、を異なる輝度レベルで点灯する上記（１）の携帯情報機器。
（４）前記制御手段が前記ＬＥＤ輝度制御信号により前記分割領域ごとに前記ＬＥＤの点灯状態を制御する際に、ユーザが選択した項目が表示された表示領域に対応する前記分割領域の前記ＬＥＤを、あらかじめ定めた標準の輝度レベルで点灯し、ユーザが選択しなかった項目が表示された表示領域に対応する前記分割領域の前記ＬＥＤを、前記標準の輝度レベルよりもあらかじめ定めた値だけ低下させた輝度レベルで点灯する上記（３）の携帯情報機器。
（５）前記制御手段は、前記アプリケーションが前記液晶パネルに表示する情報の表示サイズを算出し、算出した該表示サイズに応じて、前記分割領域のうち、画面表示することが不要な表示領域に対応する前記分割領域を判別し、画面表示が不要と判別した当該表示領域に対応する前記分割領域の前記ＬＥＤを消灯する上記（１）ないし（４）のいずれかの携帯情報機器。
（６）前記アプリケーションが前記液晶パネルに表示する表示内容に応じて、前記分割領域の分割方向を上下方向または左右方向に設定する上記（１）ないし（５）のいずれかの携帯情報機器。
（７）前記アプリケーションの画面表示状況、前記液晶パネルの画面サイズ、前記液晶パネルの種別に合わせて、前記分割領域の分割数を変更する上記（１）ないし（６）のいずれかの携帯情報機器。
（８）表示部の液晶パネルを照射するバックライト用のＬＥＤが配置されるバックライトエリアを、複数の分割領域に分割し、ユーザの操作により動作するアプリケーションが表示する情報の前記液晶パネルの表示領域に応じて、前記分割領域ごとに、前記ＬＥＤの点灯状態を制御する携帯情報機器省電力方法。
（９）前記分割領域ごとに前記ＬＥＤの点灯状態を制御する際に、前記アプリケーションが前記液晶パネルに情報を表示しない表示領域に対応する前記分割領域の前記ＬＥＤを消灯する上記（８）の携帯情報機器省電力方法。
（１０）前記分割領域ごとに前記ＬＥＤの点灯状態を制御する際に、前記アプリケーションが前記液晶パネルに表示した項目のうちユーザが選択した項目が表示された表示領域に対応する前記分割領域の前記ＬＥＤと、ユーザが選択しなかった項目が表示された表示領域に対応する前記分割領域の前記ＬＥＤと、を異なる輝度レベルで点灯する上記（８）の携帯情報機器省電力方法。
（１１）前記分割領域ごとに前記ＬＥＤの点灯状態を制御する際に、ユーザが選択した項目が表示された表示領域に対応する前記分割領域の前記ＬＥＤを、あらかじめ定めた標準の輝度レベルで点灯し、ユーザが選択しなかった項目が表示された表示領域に対応する前記分割領域の前記ＬＥＤを、前記標準の輝度レベルよりもあらかじめ定めた値だけ低下させた輝度レベルで点灯する上記（１０）の携帯情報機器省電力方法。
（１２）前記アプリケーションが前記液晶パネルに表示する情報の表示サイズを算出し、算出した該表示サイズに応じて、前記分割領域のうち、画面表示することが不要な表示領域に対応する前記分割領域を判別し、画面表示が不要と判別した当該表示領域に対応する前記分割領域の前記ＬＥＤを消灯する上記（８）ないし（１１）のいずれかの携帯情報機器省電力方法。
（１３）前記アプリケーションが前記液晶パネルに表示する表示内容に応じて、前記分割領域の分割方向を上下方向または左右方向に設定する上記（８）ないし（１２）のいずれかの携帯情報機器省電力方法。
（１４）前記アプリケーションの画面表示状況、前記液晶パネルの画面サイズ、前記液晶パネルの種別に合わせて、前記分割領域の分割数を変更する上記（８）ないし（１３）のいずれかの携帯情報機器省電力方法。
（１５）上記（８）ないし（１４）のいずれかの携帯情報機器省電力方法を、コンピュータにより実行可能なプログラムとして実施している携帯情報機器省電力プログラム。
（１６）上記（１５）の携帯情報機器省電力プログラムを、コンピュータにより読み取り可能な記録媒体に記録しているプログラム記録媒体。
【符号の説明】
【００８０】
１０      輝度制御回路
１１      液晶パネル
１２ａ    分割領域
１２ｂ    分割領域
１２ｃ    分割領域
１２ｄ    分割領域
１２ｅ    分割領域
１３ａ    ＬＥＤ
１３ｂ    ＬＥＤ
１３ｃ    ＬＥＤ
１３ｄ    ＬＥＤ
１３ｅ    ＬＥＤ
１４ａ    ＬＥＤ輝度制御信号
１４ｂ    ＬＥＤ輝度制御信号
１４ｃ    ＬＥＤ輝度制御信号
１４ｄ    ＬＥＤ輝度制御信号
１４ｅ    ＬＥＤ輝度制御信号
１００    表示部
２００    無線部
３００    制御部
４００    操作部
４１０    置数キー部
４２０    機能キー部
５００    音声装置
【図１】
2011077600.tif 000003
【図２】
2011077600.tif 000004
【図３】
2011077600.tif 000005
【図４】
2011077600.tif 000006
【図５】
2011077600.tif 000007
【図６】
2011077600.tif 000008
【図７】
2011077600.tif 000009
【図８】
2011077600.tif 000010